(57)【要約】【課題】データ通信装置において複数のキーが近接している状態であっても、過去の経験に基づかず、誤入力しやすいキーが選択された場合その旨を表示・警告することにより誤入力を防止すること。【解決手段】表示画面の設定を操作する操作部材と、複数の入力部材と、前記入力部材の中、前記操作部材の隣に位置する入力部材の選択を検知する検知手段と、該検知手段の検知に応じて前記入力部材の誤入力の可能性に係る警告を行う警告手段と、を有することを特徴とするデータ通信装置。【選択図】図３
2008066829.tif 000002
【特許請求の範囲】
【請求項１】
表示画面の設定を操作する操作部材と、複数の入力部材と、前記入力部材の中、前記操作部材の隣に位置する入力部材の選択を検知する検知手段と、該検知手段の検知に応じて前記入力部材の誤入力の可能性に係る警告を行う警告手段と、を有することを特徴とするデータ通信装置。
【請求項２】
前記警告手段は、前記検知手段の検知時に、前記入力部材の誤入力の可能性に係る警告を行うことを特徴とする請求項１に記載のデータ通信装置。
【請求項３】
前記警告手段は、前記検知手段の複数の検知時に逐次前記入力部材の誤入力の可能性に係る警告を行うことを特徴とする請求項１に記載のデータ通信装置。
【請求項４】
前記警告手段は、前記検知手段の複数の検知後に前記入力部材の誤入力の可能性に係る警告を行うことを特徴とする請求項１に記載のデータ通信装置。
【請求項５】
前記入力部材は、情報の送信先を選択する送信先選択部材であることを特徴とする請求項１〜４のいずれか１項に記載のデータ通信装置。
【請求項６】
前記入力部材は１操作で情報の送信先を選択するワンタッチキーであることを特徴とする請求項１〜５のいずれか１項に記載のデータ通信装置。
【請求項７】
前記警告手段による前記警告の後、前記入力部材の選択を解除する解除手段を有することを特徴とする請求項１〜６のいずれか１項に記載のデータ通信装置。
【発明の詳細な説明】
【技術分野】
【０００１】
データ通信装置に係り、特に誤入力防止に関する。
【背景技術】
【０００２】
画像やテキスト文等の情報を送信する手段として通信手段を搭載したファクシミリ（ＦＡＸ）や複合多機能端末（ＭＦＰ：ＭｕｌｔｉＦｕｎｃｔｉｏｎＰｅｒｉｐｈｅｒａｌ）等が従来知られている。
【０００３】
これらの通信手段を有する機器は近年小型化が進み各種操作キーや入力キーはそれに伴って小型化し、複数のキーが近接した状態で混在しているため、意図しないキーを間違って操作してしまうという問題点が顕著になってきた。
【０００４】
このような問題点を解決する方法として、例えば、新たな宛先コード入力に対しすでに入力され記憶された宛先コードから類似コードを抽出し、入力されたコードと記憶されたコードとを比較し、類似している場合は表示部に入力誤りの警告を行うデータ通信装置（例えば、特許文献１参照。）、また、削除修正操作が加わったすでに入力された誤入力を記憶学習し、新たな入力時に誤入力記憶学習結果に基づきキー操作の受付範囲を制限するキーボード装置（例えば、特許文献２参照。）が提案されている。
【特許文献１】特開２００３−２５８９８３号公報
【特許文献２】特開２０００−６６８１７号公報
【発明の開示】
【発明が解決しようとする課題】
【０００５】
しかし、特許文献１及び特許文献２に記された技術は、過去の入力内容あるいは誤操作内容を記憶しておき、記憶内容と新たな入力内容を比較し、新たな入力が過去の入力内容や誤操作内容と同様なもので有れば警告するというもので、入力が過去にない新たなものであった場合は警告できない可能性があるという問題点があった。
【０００６】
また、従来のタッチパネル等で構成された数字キー、アルファベットキー（平仮名キー）等により各種入力操作が行われる入力手段においては、例えば意図する入力が完了しエンターキー等で入力内容を登録する際に、エンターキー近傍の意図しない入力キーを操作してしまったような場合、これによる誤入力が発生してしまうという問題点があった。
【０００７】
特にＦＡＸやＭＦＰやＥメールにおいて送信先を選択する場合、操作キー（エンターキー、ページ遷移キー等）を操作する時に意図しない送信先入力キーを誤入力してしまった場合、意図しない送信先に情報が送信されてしまうという問題点があった。
【０００８】
以下本発明の説明をわかりやすくするため、従来の送信先の選択方法について説明する。
【０００９】
図１は、タッチパネル等で構成される入力手段に表示される送信宛先選択画面の一例を示す模式図である。
【００１０】
以下ソフト的処理により表示が行われるタッチパネルから情報の送信先を選択する場合を例にとって説明する。
【００１１】
データ通信装置において、操作指示及び各種入力が行われる不図示の入力手段はタッチパネル等で構成され、送信宛先選択画面１０００に複数の入力部材である送信先選択キー１００１と、操作部材である操作キー１００２とが表示される。
【００１２】
ユーザーは所定のタイミングでこれらを操作して送信したい情報の送信先を選択入力する。
【００１３】
このような送信先選択手段においては、例えば意図する送信先選択キーの入力操作（例えば０２０１キー１００３のＯＮ）が完了し、操作キー（例えば完了キー１００４）等で入力内容の登録をする際に、完了キー１００４の隣の意図しない送信先選択キー（例えば０２１０キー１００５）を操作してしまう可能性がある。
【００１４】
このような場合、意図する０２０１キー１００３と意図しない０２１０キー１００５の両者が送信先として入力され、意図しない送信先に情報が送信されてしまう。
【００１５】
ここで、誤操作しやすい操作キー１００２の隣の特定位置に位置する送信先選択キーを特定位置送信先選択キー１００９と記す。
【００１６】
また、複数の送信先に情報を送信する場合（特に、同じ情報を複数の送信先に送信する同報送信の場合）に、同一画面内に希望する送信先選択キーが無い時には別の画面を見るために操作キー（例えば画面遷移キー〈前・後画面キー１００６、１００７〉）を操作して例えば不図示の前画面を読み出す。このとき前画面キー１００６の隣の意図しない送信先選択キー（例えば０２１１キー１００８）を操作してしまう可能性がある。
【００１７】
この場合、意図する送信先以外に意図しない０２１１キー１００８が入力され、意図しない送信先に情報が送信されてしまう。
【００１８】
図２は、入力手段に設けられたハード的な送信先選択パネルの一例を示す模式図である。
【００１９】
ハード的な送信先選択パネル１１００を用いて送信先を選択する場合について説明する。
【００２０】
上述したタッチパネルの場合と同様、例えば複数の送信先に情報を送信する場合、同一パネル内に希望する送信先選択キーが無い場合は別のパネルを見るためにパネル遷移取手１１０１を操作して例えば前パネルに切り替える。このときパネル遷移取手１１０１の隣の意図しない送信先選択キー（例えば０１３キー１１０２）を操作してしまったような場合、これによる誤入力が発生してしまう。
【００２１】
本発明は上述したような問題点に鑑み、複数のキーが近接している状態であっても、また過去の経験に基づかず、誤入力しやすいキーが選択された場合その旨を表示・警告することにより誤入力を防止することを目的とする。
【課題を解決するための手段】
【００２２】
データとは絵及びテキスト文又はそのいずれかを含む情報を意味する。
【００２３】
隣とは任意の位置に接する上下・左右・斜めのすべての位置を指し、特定位置とは操作部材である操作キー（例えばエンターキー、改頁キー等の操作を選択するキー）の隣を指す。
【００２４】
本発明は、入力されたキー（送信先選択キー）が特定位置に位置するキーであるか否かを判断し、特定位置に位置するキー入力である場合は誤入力の可能性有りと判断して送信先選択キーの内容を表示しユーザーに警告するもので、本発明の目的は下記構成により達成することができる。
【００２５】
（１）表示画面の設定を操作する操作部材と、複数の入力部材と、前記入力部材の中、前記操作部材の隣に位置する入力部材の選択を検知する検知手段と、該検知手段の検知に応じて前記入力部材の誤入力の可能性に係る警告を行う警告手段と、を有することを特徴とするデータ通信装置。
【００２６】
（２）前記警告手段は、前記検知手段の検知時に、前記入力部材の誤入力の可能性に係る警告を行うことを特徴とする（１）項に記載のデータ通信装置。
【００２７】
（３）前記警告手段は、前記検知手段の複数の検知時に逐次前記入力部材の誤入力の可能性に係る警告を行うことを特徴とする（１）項に記載のデータ通信装置。
【００２８】
（４）前記警告手段は、前記検知手段の複数の検知後に前記入力部材の誤入力の可能性に係る警告を行うことを特徴とする（１）項に記載のデータ通信装置。
【００２９】
（５）前記入力部材は、情報の送信先を選択する送信先選択部材であることを特徴とする（１）〜（４）のいずれか１項に記載のデータ通信装置。
【００３０】
（６）前記入力部材は１操作で情報の送信先を選択するワンタッチキーであることを特徴とする（１）〜（５）のいずれか１項に記載のデータ通信装置。
【００３１】
（７）前記警告手段による前記警告の後、前記入力部材の選択を解除する解除手段を有することを特徴とする（１）〜（６）のいずれか１項に記載のデータ通信装置。
【発明の効果】
【００３２】
データ通信装置において、誤入力しやすい位置（特に操作キーの隣）に有る送信先選択キー（特にワンタッチキー）が意図せずに選択された場合でも、ユーザーが情報を実際に送信する前に、その旨を表示・警告するので、過去のキー操作に係る記憶がない場合でも間違った送信先に情報を送信することが防止可能となる。
【００３３】
特に、複数の入力操作が行われても逐次入力部材の誤入力の可能性に係る警告が行われるので早期に誤入力の防止が可能となる。
【００３４】
また、同報送信のように複数の入力操作が行われた場合全ての入力操作後に一括して入力部材の誤入力の可能性に係る警告が行われるので、一括りの送信先として間違うこともなく、効率的に誤入力の防止が可能となる。
【００３５】
また、誤入力が判明した場合意図しない誤入力を削除あるいは修正可能としたので、意図した送信先にのみ情報の送信が可能となる。
【発明を実施するための最良の形態】
【００３６】
以下、図面に基づき本発明の実施の形態を説明する。各図において、同一あるいは同等の部分には同一の番号を付与し、重複する説明は省略する。
【００３７】
データ通信装置は、操作部材と、複数の入力部材と、該入力部材の中、特定位置に位置する入力部材の選択を検知する検知手段と、該検知手段の検知に応じて入力部材の誤入力の可能性に係る警告を行う警告手段と、を有している。
【００３８】
図３は、データ通信装置の宛先の選択に係る構成のブロック図である。
【００３９】
図４はＲＯＭに記憶された特定位置キーテーブルの概念図である。
【００４０】
図１、３及び４を参照してデータ通信装置１００の構成について詳細に説明する。
【００４１】
表示手段１０２は制御手段１０１により制御されるタッチパネル等で構成されており、例えば前述した図１に示す送信宛先選択画面１０００にある複数の入力部材である送信先選択キー１００１及び入力部材に接して操作部材である操作キー１００２を表示し、これらが操作された場合は操作状態を制御手段１０１に出力する。また、後述する送信宛先確認画面等を表示する。
【００４２】
ここで、操作部材とは表示画面の設定を操作するためのキーであり、例えば図１における操作キー１００２が挙げられる。
【００４３】
以下、入力部材を、送信先選択キーあるいは単に入力キーとも記す。
【００４４】
ここで、送信先選択キー１００１は情報の送信先を選択するもので、更に、それぞれが１操作で情報の送信先を選択可能なワンタッチキーであることが好ましい。
【００４５】
検知手段であるキー検知手段１０３は特定位置に位置する入力部材の選択を検知して操作状態を制御手段１０１に出力する。
【００４６】
原稿読取手段１０４はスキャナー等で構成され、原稿の画像情報を読み取りデジタル化してデジタル画像情報をＲＡＭ１０７に記憶させる。
【００４７】
通信手段１０５はインターネットやＬＡＮ（ローカルエリアネットワーク）の入出力端末で構成され、インターネットやＬＡＮを介して接続された不図示のＦＡＸやＭＦＰやパーソナルコンピュータ（ＰＣ）等の中、表示手段１０２により選択された送信先に、原稿読取手段１０４等で読み込んだデジタル画像情報を送信する。
【００４８】
また、インターネットやＬＡＮを経由して送信された画像情報を受信する。この場合は、通信手段１０５は表示手段１０２により選択された送信先に受信した画像情報を送信する。
【００４９】
ＲＯＭ（リードオンリーメモリ）１０６にはデータ通信装置１００の制御プログラム及び、各種テーブル類例えば特定位置に位置する特定位置送信先選択キー１００９が記憶された図４に示す特定位置キーテーブル１０９９等、があらかじめ記憶されている。
【００５０】
ＲＡＭ（ランダムアクセスメモリ）１０７はバッテリーバックされており、データ通信装置の制御プログラムがＲＯＭ１０６から読み出されて記憶され、制御手段１０１により該プログラムが逐次読み出されてデータ通信装置１００の制御が行われる他、読み込んだデジタル画像情報や通信手段で取得したデジタル画像情報等を記憶する等、一時的な記憶が行われる。
【００５１】
不図示の個人認証取得手段はユーザーの個人認証情報を取得可能で、取得した個人認証情報をＲＡＭに記憶させる。
【００５２】
警告手段である誤入力監視手段１０８は、入力部材の誤入力の可能性に係る警告を行うもので、入力された送信先選択キーが図４の特定位置キーテーブル１０９９に記憶されている送信先選択キーであるか否かを判断し、記憶されている場合（特定位置に位置する送信先選択キーである場合）は誤入力の可能性有りと判断して、入力された送信先選択キーの名称を表示手段１０２に表示させユーザーに警告する。なお、この誤入力の可能性に係る警告は図５、６、７、９、及び１０を参照して後に詳しく説明する。
【００５３】
ここで、警告手段１０８はキー検知手段１０３の検知時、即ち特定位置に位置する入力部材の選択を検知時に入力部材の誤入力の可能性に係る警告を行う。
【００５４】
これにより、誤操作しやすい入力操作が行われた時入力部材の誤入力の可能性に係る警告が行われるので誤入力の防止が可能となる。
【００５５】
また、警告手段１０８はキー検知手段１０３の複数の検知時に逐次、即ち特定位置に位置する入力部材の選択を検知毎に入力部材の誤入力の可能性に係る警告を行っても良い。
【００５６】
これにより、複数の入力操作が行われても逐次入力部材の誤入力の可能性に係る警告が行われるので早期に誤入力の防止が可能となる。
【００５７】
また、警告手段１０８はキー検知手段１０３の複数の検知後に、即ち特定位置に位置する入力部材の選択を複数検知後にまとめて入力部材の誤入力の可能性に係る警告を行っても良い。
【００５８】
これにより、同報送信のように複数の入力操作が行われた場合全ての入力操作後に一括して入力部材の誤入力の可能性に係る警告が行われるので、一括りの送信先として間違うこともなく、効率的に誤入力の防止が可能となる。
【００５９】
また、警告手段１０８は不図示の個人認証取得手段により取得されＲＡＭに記憶された個人認証情報に基づき、個人認証取得を行った個人別に入力部材の誤入力の可能性に係る警告を行っても良い。
【００６０】
これにより、認証されたユーザー個人のみに関する誤入力の可能性に係る警告が行われるので、ユーザーはデータ通信装置を利用する全員の誤入力の可能性に係る警告をチェックする必要が無く、効率的に誤入力の防止が可能となる。
【００６１】
不図示の解除手段は、警告手段１０８による警告後、入力部材の選択を解除可能となっている。
【００６２】
これにより、誤入力が判明した場合意図しない誤入力を削除あるいは修正可能としたので、意図した送信先にのみ情報の送信が可能となる。
【００６３】
不図示の誤入力記憶手段は解除手段により行われた入力部材の選択削除回数を記憶しＲＡＭに記憶させる。
【００６４】
また、警告手段１０８はＲＡＭに記憶された入力部材の選択削除回数が指定値以上になった場合、入力部材の誤入力の可能性に係る特に強い警告を行っても良い。
【００６５】
これにより、指定された回数以上誤入力が行われると特に強い警告が行われるので誤入力の防止が可能となる。
【００６６】
制御手段１０１はＣＰＵを有し、上述した制御及び後述するフローに係る制御を行う。      
【００６７】
以上の構成により、誤入力しやすい特定位置に有る送信先選択キーが選択された場合、ユーザーが情報を実際に送信する前に、その旨を表示・警告するので、過去のキー操作に係る記憶がない場合でも間違った送信先を設定したことに気づくことが可能となり、更に誤送信先を削除可能としたことで意図しない送信先に情報を送信することが防止可能となる。
【００６８】
以下図３及び５〜１３を参照してデータ通信装置１００の作用について説明する。
【００６９】
図５はデータ通信装置の送信先誤入力の防止に係るフロー図である。
【００７０】
このフローは送信先選択キーが選択された場合に送信先の誤選択可能性有無判断を行うフローで、送信先登録件数が１未満の場合は送信先が選択された時に送信先誤選択可能性有無判断を行い、通常行われる１送信先への送信に適用される。
【００７１】
また、送信先登録件数が２件以上の場合は複数の送信先が選択された時に送信先の誤選択可能性有無判断を行い、特に同内容の情報を複数の送信先に送信する場合（例えば同報送信）に適用される。
【００７２】
１、送信情報の取得：図３の原稿読み取り手段１０４で絵やテキストデータ等を含む原稿の読み取りが行われると、制御手段１０１はアナログ画像情報をＡ／Ｄ変換、画像処理等を行い、デジタル画像情報としてＲＡＭ１０７に記憶させる。また、通信手段１０５により画像情報を受信した場合は受信したデジタル画像情報をＲＡＭ１０７に記憶させる（ステップＳ１０１）。
【００７３】
２、送信情報の宛先登録：制御手段１０１はＲＯＭ１０６から図１に示した送信宛先選択画面の画像データを読み込み送信宛先選択画面１０００を表示手段１０２に表示させる。
【００７４】
そして、入力部材である送信先選択キー１００１の選択に次いで操作部材である完了キー１００４が操作されると、選択された送信先選択キー（例えば０２０１キー１００３、０２１０キー１００５等）をＲＡＭ１０７に記憶させる（ステップＳ１０２）。
【００７５】
ここで、表示画面（例えば４／１０ページ）に意図する送信先選択キーが無い場合は操作部材である前／後画面キー１００６、１００７で必要な画面に遷移させ、遷移先画面で同様にして送信先を選択でき、選択した送信先選択キーを記憶する。
【００７６】
なお、図１に示した送信宛先選択画面に対応するものとして図２に図示したハード的な送信先選択パネルとしても良い。この場合は、送信先選択パネル１１００で入力部材である送信先選択キー１００１の中から選択された送信先選択キー（例えば００１キー）に次いで不図示の完了キーが押されると、選択された送信先選択キー（例えば００１キー）をＲＡＭ１０７に記憶させる。当該パネルに意図する送信先選択キーが無い場合は操作部材であるパネル遷移取手１１０１で必要なパネルに切り替え、切り替え先パネルで同様にして送信先を選択できる。
【００７７】
なお、ステップＳ１０１、１０２において、不図示の個人認証手段で取得したユーザーの個人認証情報にステップＳ１０１で記憶したデジタル画像情報と、ステップＳ１０２で記憶した選択した送信先選択キーとを対応づけてＲＡＭに記憶しても良い。
【００７８】
３，宛先登録件数判断：ステップＳ１０２で行われた送信先選択キー１００１の選択件数が１件未満の場合（ｙｅｓ）は１件毎に送信先誤選択可能性有無判断を行うフローに進むため次ステップに進み、以上の場合（ｎｏ）は複数の送信先が選択された時に送信先誤選択可能性有無判断を行うフローに進むためステップＳ２０４に進む（ステップＳ１０３）。
【００７９】
なお、この分岐は複数の送信先に同じ情報を送信する不図示の「同報送信キー」が選択された場合に２件以上（ｙｅｓ）と判断してステップＳ２０４にジャンプさせることもできる。
【００８０】
制御手段１０１は警告手段１０８に下記ステップＳ１０４〜Ｓ１０８、Ｓ２０４〜Ｓ１０８の入力部材の誤入力の可能性に係る警告処理を行わせる。なお、特に物としての警告手段を有せず制御手段１０１が行っても良い。
【００８１】
４、送信先誤選択可能性有無判断：送信先選択キー（例えば０２１０キー１００５）が１件選択されると、制御手段１０１はＲＯＭ１０６から前述した特定位置送信先選択キー１００９が記憶された図４の特定位置キーテーブル１０９９を読み出す。そして、特定位置送信先選択キー１００９に入力された送信先選択キー（例えば０２１０キー１００５）が含まれているか否かを比較する。そして含まれている場合（ｙｅｓ）は誤送信可能性有りと判断し、含まれていない場合（ｎｏ）は誤送信可能性無しと判断する（ステップＳ１０４）。
【００８２】
５、比較した結果、誤送信可能性有りの場合（ｙｅｓ）はステップＳ１０６へ歩進し、誤送信可能性無しの場合（ｎｏ）はステップＳ１０９へジャンプする（ステップＳ１０５）。
【００８３】
例えば０２１０キー１００５が選択されていると特定位置キーテーブル１０９９に含まれているのでｙｅｓとなる。また、例えば０２０１キーが選択されていると特定位置キーテーブル１０９９に含まれていないのでｎｏとなる。
【００８４】
図６は、送信宛先確認画面の図である。
【００８５】
図７は送信先が追加された送信宛先確認画面の図である。
【００８６】
６，誤選択警告出力：誤送信可能性有りの判断によりＲＯＭ１０６から図６（ａ）に示す第１の送信宛先確認画面２０００を表示する第１の送信宛先確認画面表示情報を読み出す。そして、ステップＳ１０２において選択・記憶された送信先選択キーデータを追加し（はめ込み）、表示手段１０２に図６（ｂ）に示す第２の送信宛先確認画面２１００を表示する。
【００８７】
例えば送信先選択キーデータとして０２１０キーが記憶されている場合は第２の送信宛先確認画面に０２１０キー２１０３を表示する（ステップＳ１０６）。
【００８８】
また、送信先選択キーデータとして０２０１キーが記憶されている場合は第２の送信宛先確認画面に０２０１キーを表示する
なお、図示するように送信先選択キー名称と電話番号と宛先名等と、を表示すればより好ましい。この場合はＲＯＭ１０６に各送信先選択キーに対する宛先名と電話番号等とをそれぞれ記憶した、不図示の送信先選択キー／宛名対応テーブルを予め記憶させ、本ステップで送信宛先確認画面の表示時に送信先選択キー／宛名対応テーブルを参照することにより可能となる。
【００８９】
また、特定位置キーテーブル１０９９に含まれている送信先選択キー（例えば０２１０キー）を表示する時は図示したように強調文字（例えば網掛）にして表示するとなお良い。
【００９０】
７、送信先解除受付：ユーザーは第２の送信宛先確認画面２１００を見て誤操作を行ったか否かを検討する。そしてもし意図しない送信先が表示されている場合は削除キー２１０２を押す。
【００９１】
制御手段１０１は削除キー２１０２を監視し削除キー２１０２が押されると、当該入力（例えば０２１０キー２１０３）を削除してよいか否かを確認する削除確認枠３１００を含む図７に示す第３の送信宛先確認画面３０００を表示する。
【００９２】
例えば、表示された送信先選択キーが０２１０キー２１０３の場合、第３の送信宛先確認画面３０００には、第２の送信宛先確認画面２１００の上に、０２１０キー２１０３を削除するか否かを確認する削除確認枠３１００を追加表示する。
【００９３】
ＯＫキー３１０１が押された場合は誤操作と判断され当該送信先を送信先から削除（解除）する。また、意図する送信先選択キー（例えば０２０１キー）が入力されている場合は削除せず例えば０２０１キーを確定した送信先として記憶する。
（ステップＳ１０７）。
【００９４】
なお、図７に図示したように、意図しない送信先選択キー（例えば０２１０キー２１０３）しか登録されていない場合は一旦削除して、再度送信先選択キーの選択（修正）を行う。
【００９５】
また、ステップＳ１０１、１０２で個人認証を行い、個人認証情報に対応づけられたデジタル画像情報と送信先選択キー情報が有る場合は、ステップＳ１０６、１０７において個人認証を行ったユーザーに係る第２の送信宛先確認画面２１００と第３の送信宛先確認画面３０００とを表示する。
【００９６】
これは、各個人認証情報別に第２の送信宛先確認画面２１００と第３の送信宛先確認画面３０００を表示する画像情報とをそれぞれ記憶し、ステップＳ１０１、１０２で行った個人認証に基づきこれを参照することで可能となる。
【００９７】
図８は誤入力を行った入力部材の記憶テーブルである。
【００９８】
８、誤入力を行った入力部材の記憶テーブル４０００には誤入力キー（例えば０２１０キー）と、各誤入力キー毎の削除回数の積算値（例えば１０回）が記憶される。
【００９９】
制御手段１０１は、各送信先選択キーについてステップＳ１０７において誤入力と判断され削除されると、不図示の誤入力カウンタに削除回数カウントさせ、誤入力積算回数として誤操作を行った入力部材の記憶テーブル４０００に記憶させてもよい。（ステップＳ１０８）。
【０１００】
９、送信先に情報送信実行：制御手段１０１はステップＳ１０７で確定した送信先（例えば０２０１キー、あるいは０２０１キーと０２０７キー）に、ステップＳ１０１で記憶したデジタル画像情報を読み出して対応付け、通信手段１０５に送信させる（ステップＳ１０９）。
【０１０１】
以上により前記警告手段は入力部材の誤入力の可能性に係る警告、特に操作に係るキーの操作時に意図しない送信先選択キーを誤操作してしまうということに対する警告、を行うことが可能となり、ユーザーによる誤入力を防止することが可能となる。
【０１０２】
以下に、複数の送信先選択キーが選択された場合、送信先誤選択可能性有無判断を行うフロー（同報送信のように同一の情報を複数の宛先に送信する場合に対応）について説明する。
【０１０３】
例えばステップＳ１０２において、意図する送信先０２０１キー１００３と０２０７キー以外に、完了キー１００４の操作時に意図しない０２１０キー１００５が間違って押され、０２０１キー１００３と０２１０キー１００５とが記憶された場合について説明する。
【０１０４】
１０、送信先誤選択可能性有無判断：ＲＡＭ１０７に送信先選択キー（例えば０２０１キー、０２０７キー、０２１０キー）が記憶されると、制御手段１０１はＲＯＭ１０６から前述した特定位置キーテーブル１０９９を読み出し、特定位置送信先選択キー１００９に送信先選択キー（例えば０２０１キー、０２１０キー）が含まれているか否かを比較する。そして含まれている場合（ｙｅｓ）は誤送信可能性有りと判断し、含まれていない場合（ｎｏ）は誤送信可能性無しと判断する。（ステップＳ２０４）。
【０１０５】
１１、比較した結果、誤送信可能性有りの場合（ｙｅｓ）はステップＳ２０６へ歩進し、誤送信可能性無しの場合（ｎｏ）はステップＳ１０９へジャンプする（ステップＳ２０５）。
【０１０６】
図９は、送信宛先確認画面に関する図である。
【０１０７】
図１０は送信先が追加された送信宛先確認画面の図である。
【０１０８】
１２，誤選択警告出力：誤送信可能性有りの判断により制御手段１０１はＲＯＭ１０６（ＲＡＭ）から図９（ａ）に示す第１の送信宛先確認画面２０００を表示する第１の送信宛先確認画面表示情報を読み出して、ステップＳ１０２において記憶された送信先選択キーデータを追加し（はめ込み）、図９（ｂ）に示す第２の送信宛先確認画面２１００を表示する。
【０１０９】
例えば送信先選択キーデータとして０２０１キーと０２１０キーと０２０７キーが記憶されている場合は第２の送信宛先確認画面に０２０１キー２１０４と０２０７キー２１０５と０２１０キー２１０３とを表示する（ステップＳ２０６）。
【０１１０】
１３、送信先解除受付：ユーザーは第２の送信宛先確認画面２１００を見て誤操作を行ったか否かを検討する。そしてもし意図しない送信先が表示されている場合は矢印キー２１０１を操作して意図しない送信先にカーソル（強調文字部）を合わせて削除キー２１０２を押す。
【０１１１】
制御手段１０１は削除キー２１０２を監視し削除キー２１０２が押されると、当該入力を削除してよいか否かを確認する削除確認枠３１００を含む図１０に示す第３の送信宛先確認画面３０００を表示する。
【０１１２】
ＯＫキー３１０１が押された場合は誤操作と判断し当該送信先を送信先から削除（解除）し、ＯＫキー３１０１が押された当該入力（例えば０２１０キー２１０３）を誤操作送信先選択キーとしてＲＡＭに記憶し、ステップＳ１０８にジャンプする（ステップＳ２０７）。
【０１１３】
例えば、表示された送信先選択キーが０２１０キー２１０３と０２０１キー２１０４と０２０７キー２１０５の場合、第３の送信宛先確認画面３０００には、第２の送信宛先確認画面２１００の上に、０２０１キー２１０４、０２０７キー２１０５及び０２１０キー２１０３を削除するか否かを確認する削除確認枠３１００を追加表示する。
【０１１４】
図１１は誤入力キーの登録方法のフロー図である。
【０１１５】
次に図１１を参照して、誤入力キーの登録方法について説明する。
【０１１６】
このフローは前述したフローにおいて送信先選択キーの入力が削除された場合、削除回数をカウントして所定の回数を超えた場合に当該入力キーを不図示の誤入力記憶手段に登録し、特に強い警告を可能とするものである。
【０１１７】
１、ステップＳ１０７において削除実行？：制御手段１０１はステップＳ１０７において削除が実行されたか否かを監視して削除された場合（ｙｅｓ）は次ステップに歩進する、されていなければ（ｎｏ）エンドにジャンプする（ステップＳ３０１）。
【０１１８】
２、削除された送信先は誤入力記憶手段に記憶されているか？：削除された当該送信先選択キー（送信先）が誤入力記憶手段に記憶（仮登録）されているか否かを確認し、されていれば（ｙｅｓ）ステップＳ３０７にジャンプし、されていなければ（ｎｏ）次ステップに歩進する（ステップＳ３０２）。
【０１１９】
３、誤入力記憶手段に仮登録：誤入力記憶手段に削除された当該送信先選択キー（送信先）を記憶（仮登録）する（ステップＳ３０３）。
【０１２０】
４、削除回数と指定値の比較：記憶（仮登録）された当該送信先選択キー（送信先）の削除回数と予め決められた指定回数とを比較する（ステップＳ３０４）。
【０１２１】
５、削除回数＞指定値？：指定回数より削除回数の方が多ければ当該送信先選択キーを誤入力しやすい送信先選択キー（送信先）と判断して誤入力記憶手段に本登録して終了する（ステップＳ３０５）。
【０１２２】
なお、本登録された場合、例えば本登録された送信先選択キーを表示する際に強調させたり、登録された送信先選択キーが選択された場合より強い強調表示をさせたり、不図示の音声出力手段により音声警告（例えば「誤って入力された送信先がある可能性があります、送信先を確認してください」等）する等を行うようにしても良い。具体的には、例えば図１の送信宛先選択画面１０００の当該送信先選択キーの強調表示。第２の送信宛先確認画面２１００、第３の送信宛先確認画面３０００における送信先選択キーの強調表示等を行う。
【０１２３】
７、削除回数カウントアップ：ステップＳ３０２で（ｙｅｓ）と判断されると当該送信先選択キー（送信先）の削除回数をカウントアップする（ステップＳ３０７）。
【０１２４】
以上により特に誤入力の多い送信先選択キーを誤入力記憶手段に人手を煩わさずに本登録でき、例えば本登録された送信先選択キーを表示する際に強調させたり、登録された送信先選択キーが選択された場合より強い強調表示をさせたり、音声警告する等、ユーザーにより強い警告を行うことが可能となる。
【０１２５】
図１２は誤入力キーの登録解除方法のフロー図である。
【０１２６】
このフローは前述した誤入力記憶手段に本登録された送信先選択キーを誤操作率が向上した場合に自動的に削除するものである。
【０１２７】
１、全ての誤入力キー毎の各削除カウント数の読み出し：図８の誤入力を行った入力部材の記憶テーブル４０００を参照して全ての誤入力キー毎の各削除カウント数を読み出す（ステップＳ４０１）。
【０１２８】
２、全誤入力キーの削除回数累積値の算出：全ての誤入力キーの各削除カウント数の総和（累積値）を算出する（ステップＳ４０２）。
【０１２９】
３、（各誤入力キー毎の誤入力積算回数値）／（全誤入力キーの削除回数累積値）を算出：ステップＳ４０２で算出した、全ての誤入力キーの各削除カウント数の総和（累積値）に対する、ステップＳ４０１で取得した全ての誤入力キー毎のうち、任意の誤入力キーの削除カウント数（即ち任意の誤入力キーの誤入力積算回数値）、の割合を各誤入力キー毎に算出する（ステップＳ４０３）。
【０１３０】
４、算出値＜設定値？：各誤入力キーの割合算出値と予め決められた設定値とを比較して算出値より設定値が多い場合（ｙｅｓ）はステップＳ４０５に歩進し、未満の場合はエンドにジャンプする（ステップＳ４０４）。
【０１３１】
５、当該入力部材の誤入力記憶手段登録解除：算出値より設定値が多い場合（ｙｅｓ）は当該誤入力キーの誤入力率が減少したと判断して誤入力記憶手段から当該入力部材の本登録を解除し終了する（ステップＳ４０５）。
【０１３２】
これにより誤入力記憶手段から送信先選択キーを自動的に解除でき、人手を煩わさずに強調表示等の警告を中止できる。
【０１３３】
図１３は誤入力キー情報の個人別登録登録方法のフロー図である。
【０１３４】
このフローは図５を参照して説明した誤選択警告をユーザー単位で行おうとするものである。具体的には、各ユーザー毎に個人認証情報を設定しておき、個人認証情報を入力することにより各個人単位で入力部材の誤入力情報を記憶しておくことにより、各個人レベルで図６、７、８、９又は１０に示す送信宛先確認画面を表示し警告を可能とするものである。
【０１３５】
１、個人認証取得：不図示の個人認証取得認証手段によりユーザーの個人認証情報を取得し、個人認証情報をＲＡＭに記憶する（ステップＳ６０１）。
【０１３６】
２、送信情報の取得工程、送信情報の宛先登録工程：ステップＳ６０１で個人認証を受けたユーザーにより送信情報の取得及び送信情報の宛先登録が行われると、送信情報と宛先と個人認証情報が対応づける。詳細は前述したステップＳ１０１と１０２と同様なので説明を省略する（ステップＳ６０２、６０３）。
【０１３７】
３、宛先登録件数判断ｎ≦１件？：詳細は前述したステップＳ１０３と同様なので説明を省略する（ステップＳ６０４）。
【０１３８】
４、個人別送信先誤選択可能性有無判断：個人認証情報毎に送信情報の宛先登録件数がカウントされる。詳細は前述したステップＳ１０４と同様なので説明を省略する（ステップＳ６０５）
５、誤送信可能性有無：詳細は前述したステップＳ１０５と同様なので説明を省略する（ステップＳ６０６）。
【０１３９】
６、個人別誤選択警告出力、送信先解除受付、解除回数をカウント・記憶：ユーザーはステップＳ６０１で行った個人認証に基づき、表示されたユーザー個人の第２の送信宛先確認画面２１００及び第３の送信宛先確認画面３０００に従い誤入力した送信先選択キーの削除に係る操作を行う。
【０１４０】
これは制御手段が、誤入力を行った入力部材の記憶テーブル４０００を個人認証を行ったＡ氏、Ｂ氏、・・・の各個人認証情報に対してそれぞれ作成してＲＡＭに記憶すること、また、第２の送信宛先確認画面２１００と第３の送信宛先確認画面３０００とを表示する各表示情報を、個人認証を行ったＡ氏、Ｂ氏、・・・の各個人認証情報に対してそれぞれ作成してＲＡＭに記憶し、ステップＳ１０６、１０７、１０８と同様なタイミングで表示することで可能となる。
【０１４１】
詳細は前述したステップＳ１０６、１０７、１０８と同様なので説明を省略する（ステップＳ６０７、６０８、６０９）。
【０１４２】
７、送信先に情報送信実行：詳細は前述したステップＳ１０９と同様なので説明を省略する（ステップＳ６１０）。
【０１４３】
８，なお、ステップＳ７０５、７０６、７０７、７０８は、上述したように個人認証情報毎に処理が行われが、ステップＳ２０４、２０５、２０６、２０７と同様なので説明を省略する。
【０１４４】
これにより、各ユーザー毎に入力部材の誤入力の可能性に係る警告を行うことが可能となる。具体的には、データ通信装置を使うユーザー全ての入力部材の誤入力情報が表示されず、認証を行ったユーザーのみの入力部材の誤入力情報が表示されるため、操作性が向上する。
【図面の簡単な説明】
【０１４５】
【図１】タッチパネル等で構成される入力手段に表示される送信宛先選択画面の一例を示す模式図である。
【図２】入力手段に設けられたハード的な送信先選択パネルの一例を示す模式図である。
【図３】データ通信装置の宛先の選択に係る構成のブロック図である。
【図４】ＲＯＭに記憶された特定位置キーテーブルの概念図である。
【図５】データ通信装置の送信先誤入力の防止に係るフロー図である。
【図６】送信宛先確認画面の図である。
【図７】送信先が追加された送信宛先確認画面の図である。
【図８】誤入力を行った入力部材の記憶テーブルである。
【図９】送信宛先確認画面に関する図である。
【図１０】送信先が追加された送信宛先確認画面の図である。
【図１１】誤入力キーの登録方法のフロー図である。
【図１２】誤入力キーの登録解除方法のフロー図である。
【図１３】誤入力キー情報の個人別登録登録方法のフロー図である。
【符号の説明】
【０１４６】
１００  データ通信装置
１０１  制御手段
１０２  表示手段
１０３  キー検知手段
１０４  原稿読取手段
１０５  通信手段
１０６  ＲＯＭ
１０７  ＲＡＭ
１０８  警告手段
１０００  送信宛先選択画面
１００１  送信先選択キー
１００２  操作キー
１００９  特定位置送信先選択キー
１０９９  特定位置キーテーブル
２１００  第２の送信宛先確認画面
３０００  第３の送信宛先確認画面
３１００  削除確認枠
【図１】
2008066829.tif 000003
【図２】
2008066829.tif 000004
【図３】
2008066829.tif 000005
【図４】
2008066829.tif 000006
【図５】
2008066829.tif 000007
【図６】
2008066829.tif 000008
【図７】
2008066829.tif 000009
【図８】
2008066829.tif 000010
【図９】
2008066829.tif 000011
【図１０】
2008066829.tif 000012
【図１１】
2008066829.tif 000013
【図１２】
2008066829.tif 000014
【図１３】
2008066829.tif 000015